(57)【要約】【課題】据え付け状態に応じて機械室内の部品配置を変更することができる食器洗浄機を提供する。【解決手段】食器洗浄機１は、機械室Ｄ内に収容された貯湯タンク２２から、洗浄室Ｓ内に収容された濯ぎノズル１３，１５へ濯ぎ水を供給する。機械室Ｄの矩形のベース板２９には、１辺の側において貯湯タンク２２が固定され、ベース板２９には、配置変更が予定された接続パイプ２１及び洗剤供給装置２３の選択的な設置変更を可能にする第１〜第３部品設置予定領域４１〜４３が設けられている。第１〜第３部品設置予定領域４１〜４３の各々には、接続パイプ２１を取り付けるためのパイプ挿入口４１ａ，４２ａ，４３ａ、及び洗剤供給装置２３を取り付けるためのブラケット差込口４１ｂ，４２ｂ，４３ｂが設けられている。【選択図】図１
2008237534.tif 000002
【特許請求の範囲】
【請求項１】
機械室内に収容された貯湯タンクから、前記機械室の上方にある洗浄室内に収容された噴射ノズルへ濯ぎ水を供給し、前記噴射ノズルから濯ぎ水を噴射して前記洗浄室内の食器類を濯ぐように構成した食器洗浄機において、
前記機械室の矩形のベース板には、１辺の側において前記貯湯タンクが固定され、
前記ベース板には、他の３辺のうち少なくとも２辺の側において、配置変更が予定された部品の選択的な設置変更を可能にする第１及び第２の部品設置予定領域が設けられ、
前記第１及び第２の部品設置予定領域の各々には、予定された前記部品を着脱可能に保持する部品保持部が設けられていることを特徴とする食器洗浄機。
【請求項２】
前記貯湯タンクは前記ベース板の前記１辺の側において中央に位置し、
前記ベース板には、前記他の３辺のうちの前記２辺以外の１辺の側において、配置変更が予定された前記部品の選択的な設置変更を可能にする第３の部品設置予定領域が更に設けられ、
前記第３の部品設置予定領域には、前記予定された前記部品を着脱可能に保持する部品保持部が設けられていることを特徴とする請求項１に記載の食器洗浄機。
【請求項３】
予定された前記部品は、前記洗浄室内に洗剤を供給する洗剤供給装置及び／又は前記貯湯タンクに前記機械室外から水を供給する給水パイプであることを特徴とする請求項１又は２に記載の食器洗浄機。
【発明の詳細な説明】
【技術分野】
【０００１】
本発明は、貯湯タンクからの濯ぎ水を前記噴射ノズルから噴射して前記洗浄室内の食器類を濯ぐように構成した食器洗浄機に関するものである。
【背景技術】
【０００２】
従来、このような分野の技術として、下記特許文献１に記載の食器洗浄機が知られている。この食器洗浄機は、機械室内のポンプから上方の洗浄室の噴射ノズルに水を送り、噴射ノズルから水を噴射して洗浄室内の食器の洗浄・濯ぎを行う。この種の食器洗浄機は、主に業務用として飲食店の厨房などに据え付けられ用いられる。そして、このような食器洗浄機の据え付けにあたっては、厨房のレイアウト上の制約により、据え付けの位置や向きが制限される場合もある。
【特許文献１】特開２００５−２４５５２８号公報
【発明の開示】
【発明が解決しようとする課題】
【０００３】
しかしながら、この食器洗浄機の据え付け状態によっては、例えば、機械室内でメンテナンスを要する箇所が、メンテナンス時に目視できない位置に隠れてしまったり、当該箇所が手の届きにくい場所に位置したりする場合がある。このような場合、メンテナンスの作業性が低下してしまうので、例えば、据え付け状態に合わせて機械室のレイアウトを変更できるようにすることが望まれる。
【０００４】
そこで、本発明は、据え付け状態に応じて機械室内の部品配置を変更することができる食器洗浄機を提供することを目的とする。
【課題を解決するための手段】
【０００５】
本発明の食器洗浄機は、機械室内に収容された貯湯タンクから、機械室の上方にある洗浄室内に収容された噴射ノズルへ濯ぎ水を供給し、噴射ノズルから濯ぎ水を噴射して洗浄室内の食器類を濯ぐように構成した食器洗浄機において、機械室の矩形のベース板には、１辺の側において貯湯タンクが固定され、ベース板には、他の３辺のうち少なくとも２辺の側において、配置変更が予定された部品の選択的な設置変更を可能にする第１及び第２の部品設置予定領域が設けられ、第１及び第２の部品設置予定領域の各々には、予定された部品を着脱可能に保持する部品保持部が設けられていることを特徴とする。
【０００６】
この食器洗浄機では、噴射ノズルに水を供給する貯湯タンクが、機械室内に収容される。この機械室の矩形のベース板には、１辺の側に貯湯タンクが固定され、他の３辺のうちの少なくとも２辺の側には、第１及び第２の部品設置予定領域が設けられる。従って、機械室の部品のうち配置変更が予定された部品を、上記部品設置予定領域から適宜選択して何れかの領域に設置することができ、諸条件に応じて当該部品の配置を変更することができる。
【０００７】
また、貯湯タンクはベース板の１辺の側において中央に位置し、ベース板には、他の３辺のうちの２辺以外の１辺の側において、配置変更が予定された部品の選択的な設置変更を可能にする第３の部品設置予定領域が更に設けられ、第３の部品設置予定領域には、予定された部品を着脱可能に保持する部品保持部が設けられていることが好ましい。このような構成にすると、配置変更が予定された部品配置の選択の自由度が更に大きくなる。
【０００８】
また、予定された部品は、具体的には、洗浄室内に洗剤を供給する洗剤供給装置及び／又は貯湯タンクに機械室外から水を供給する給水パイプであることとしてもよい。このような食器洗浄機では、洗剤補充の際に洗剤供給装置を取り扱い、メンテナンスの際には上記のような給水パイプを取り扱うことが多い。このように取り扱う機会が多い部品の配置を選択可能とし、取り扱いが容易な位置に配置することができる。
【発明の効果】
【０００９】
本発明の食器洗浄機によれば、据え付け状態に応じて機械室内の部品配置を変更することができる。
【発明を実施するための最良の形態】
【００１０】
以下、図面を参照しつつ本発明に係る食器洗浄機の好適な実施形態について詳細に説明する。
【００１１】
図１に示すように、食器洗浄機１は、ステンレス製の洗浄機本体２を有している。この洗浄機本体２は、洗浄室Ｓが形成された上側部分２ａと、機械室Ｄが形成された下側部分２ｂとに仕切られている。洗浄機本体２の背面側において、洗浄室Ｓ及び機械室Ｄのコーナ部分には、上側部分２ａと下側部分２ｂとに亘って鉛直方向に延在する左右一対の支柱３，４が設けられている。洗浄機本体２の正面側において、機械室Ｄのコーナ部分には、下側部分２ｂで鉛直方向に延在する左右一対の支柱５，６が設けられている。また、洗浄機本体２の上側部分２ａには、洗浄室Ｓの開閉を行うためのドア７が設けられている。このドア７が、正面側において水平方向に延在するハンドル８により上下動させられて、洗浄室Ｓの開閉が行われる。なお、洗浄機本体２の底面の四隅には脚部９が取り付けられており、食器洗浄機１の安定した設置が可能となっている。
【００１２】
上述した洗浄室Ｓ内には、ラックレール（図示せず）が着脱自在に配置されており、このラックレール上に、飲食後の食器類が並べられた格子状の食器ラック（図示せず）が載置される。更に、洗浄室Ｓ内には４個の噴射ノズルが配置され、洗浄室Ｓ内の上部には、放射状に延びる３本のアームを有する上側洗浄ノズル１２と、一直線状に延びる２本のアームを有する上側濯ぎノズル１３とが同一回転軸線上において回転自在に配置されている。同様に、洗浄室Ｓ内の下部には、下側洗浄ノズル１４と下側濯ぎノズル１５とが同一回転軸線上において回転自在に配置されている。
【００１３】
このような構成を有する洗浄室Ｓの底部には、機械室Ｄ内に突出するように洗浄水タンク１７が設けられており、洗浄室Ｓと洗浄水タンク１７との間には、フィルタ（図示せず）が着脱自在に配置されている。この洗浄水タンク１７の前面には洗浄水供給ポンプ（以下「洗浄ポンプ」という）１９がブラケットを介して固定されている。この洗浄ポンプ１９の吐出口には洗浄水流通管（図示せず）が接続され、この洗浄水流通管は、機械室Ｄ内及び洗浄室Ｓ内を通って、上側洗浄ノズル１２及び下側洗浄ノズル１４に接続されている。
【００１４】
更に、機械室Ｄ内には、接続パイプ２１によって外部の給湯器（図示せず）から濯ぎ水が供給される貯湯タンク２２が設けられており、この貯湯タンク２２には、吸込管を介して濯ぎ水供給ポンプ（以下「濯ぎポンプ」という）２４が接続されている。この濯ぎポンプ２４は、インペラを下側にした状態で縦置き状態で設置されており、機械室Ｄ内のスペースの有効利用が図られている。この濯ぎポンプ２４の吐出口には吐出管が接続され、この吐出管には濯ぎ水流通管が接続され、この濯ぎ水流通管は、機械室Ｄ内及び洗浄室Ｓ内を通って、上側濯ぎノズル１３及び下側濯ぎノズル１５に接続されている。
【００１５】
また、機械室Ｄには、洗剤貯留タンク２３ｃに洗剤を貯留すると共に洗剤を洗浄室Ｓ内に投入する洗剤供給装置２３、及び食器洗浄機１の動作全般を制御するマイクロコンピュータ等が内蔵されたコントロールボックス２５等も収容されている。更に、コントロールボックス２５の上方には、ユーザの各操作を受け付ける操作部２６が設けられている。この操作部２６は、ユーザが操作する操作ボタン類が正面側を向くように支柱６にネジ止めされている。
【００１６】
また、上記接続パイプ２１、貯湯タンク２２、濯ぎポンプ２４、洗剤供給装置２３、及びコントロールボックス２５は、機械室Ｄの底壁を構成する矩形のベース板２９上に固定されている。また、支柱３〜６には、機械室Ｄの４つの側壁を構成する正面パネル３１，側面パネル３２，側面パネル３３，及び背面パネル３４が取り付けられている。正面パネル３１には、上記操作部２６の操作ボタン類を表面に露出させるための開口３５が設けられている。なお、操作部２６は、開口３５に対応する位置で、正面パネル３１の内側にネジ止めされてもよい。
【００１７】
ここで、上述した食器洗浄機１の動作について説明する。操作部２６の運転開始ボタンがＯＮにされると洗浄ポンプ１９が始動する。これにより、洗浄水タンク１７内に貯留されていた洗浄水は、洗浄水流通管を通って上下の洗浄ノズル１２，１４に圧送され、各洗浄ノズル１２，１４から食器類に向けて噴射される。このとき、各洗浄ノズル１２，１４は洗浄水の噴射反力によって回転するため、洗浄水が食器類に満遍なく当てられて、食器類の汚れが効率良く洗い落とされる。この食器類に噴射された洗浄水は、食器類から洗い落とされた残菜等の汚損物がフィルタにより取り除かれつつ洗浄水タンク１７内に回収され、洗浄ポンプ１９により循環供給される。
【００１８】
このような食器類の洗浄が所定時間行われると、洗浄ポンプ１９が停止し、その後、濯ぎポンプ２４が始動する。これにより、貯湯タンク２２内に貯留されていた濯ぎ水は、濯ぎ水流通管を通って上下の濯ぎノズル１３，１５に圧送され、各濯ぎノズル１３，１５から食器類に向けて噴射される。このとき、各濯ぎノズル１３，１５もまた、濯ぎ水の噴射反力によって回転するため、濯ぎ水が食器類に満遍なく当てられて、食器類の濯ぎが効率良く行われる。この食器類に噴射された濯ぎ水は、フィルタを通って洗浄水タンク１７内に回収され、次回の食器類の洗浄において洗浄水として利用される。このような食器類の濯ぎが所定時間行われると、濯ぎポンプ２４が停止して、食器洗浄機１の１サイクルの動作が完了する。
【００１９】
このような食器洗浄機では、上述したような、操作部２６がある正面側にドア７が位置する設定（以下「標準ドア設定」と称する）ばかりではなく、据え付け場所の条件によっては、図２（ａ）に示すように右側面側にドア７が位置する設定（以下「右ドア設定」と称する）、或いは図２（ｂ）に示すように左側面側にドア７が位置する設定（以下「左ドア設定」と称する）が望まれる場合がある。このような要望に応じるため、食器洗浄機１の操作部２６を支柱５に付け替えると共に、正面パネル３１と側面パネル３２とを交換すれば、右ドア設定の食器洗浄機１０１Ａとすることができる。同様に、食器洗浄機１の操作部２６を支柱３に付け替えると共に、正面パネル３１と側面パネル３３とを交換すれば、左ドア設定の食器洗浄機１０１Ｂとすることができる。
【００２０】
しかしながら、このような食器洗浄機１０１Ａ，１０１Ｂでは、以下のようなことが問題となり得る。例えば、図２（ｂ）に示す左ドア設定の食器洗浄機１０１Ｂにおいて、機械室Ｄのメンテナンスや洗剤供給装置２３への洗剤補充を行う場合を考える。このような作業の際には、メンテナンススペースの制約から、機械室Ｄのパネルのうち正面パネル３１が開けられる場合が多く、作業者が正面側から機械室Ｄ内に手を入れる場合が多い。このとき、例えば、接続パイプ２１や洗剤供給装置２３は、正面パネル３１から見て比較的奥側に位置することになるので、このような部分には手が届きにくい。このように、ドア設定の変更を行うと、機械室Ｄ内の部品に手が届きにくくなる場合があり、部品の取り扱いが困難になる場合がある。特に、接続パイプ２１はメンテナンスの際に取り扱う機会が多く、また、洗剤供給装置２３には定期的に洗剤補充が必要なので、このような部品は、手が届きやすい位置にあることが好ましい。
【００２１】
そこで、上記食器洗浄機１においては、接続パイプ２１及び洗剤供給装置２３を設置するための領域が、ベース板２９上に予め３つ準備されている。そして、食器洗浄機のドア設定に応じて、３つの領域の中から接続パイプ２１及び洗剤供給装置２３の設置領域を選択し、正面側から手が届きやすい位置に接続パイプ２１及び洗剤供給装置２３を配置することができる。
【００２２】
このような選択的な部品配置を可能にするため、食器洗浄機１においては、図３に示すように、まず、矩形のベース板２９の１辺２９ｄに沿う位置において中央に貯湯タンク２２が配置される。通常であれば、貯湯タンクはベース板２９のコーナに寄せて配置される場合が多いが、ここでは、貯湯タンク２２を辺２９ｄ側の中央に設置することにより、貯湯タンク２２の両側に他部品を設置するスペースが確保される。そして、確保されたスペースを利用して、辺２９ｂに近接する第１部品設置予定領域４１及び、辺２９ｃに近接する第２部品設置予定領域４２が設けられている。更に、ベース板２９には、上記第１部品設置予定領域４１よりも辺２９ａに近接する第３部品設置予定領域４３が設けられている。なお、重量が大きい濯ぎポンプ２４はベース板２９のほぼ中央に設置されており、コントロールボックス２５は辺２９ａに沿って設置されている。
【００２３】
上記第１部品設置予定領域４１には、パイプ挿入口４１ａと、ブラケット差込口４１ｂと、が設けられている。図４に示すように、このパイプ挿入口４１ａには、外部の給湯器からの水を貯湯タンク２２に導くための接続パイプ２１が取り付けられる。すなわち、まず、ジョイント３７の出口側端部が下方からこのパイプ挿入口４１ａに挿入された状態で、ジョイント３７のフランジ３７ａが、ベース板２９の下面にネジ止めされる。そして、ベース板２９の上面に突出した出口側端部に、Ｌ字状の接続パイプ２１の一端がボルト止めされる。
【００２４】
なお、上記ジョイント３７のボディ３７ｂ内には、通過する水を浄化するためのフィルタが内蔵されており、このフィルタは、ボディ３７ｂの端部に螺合された蓋３７ｃを取り外すことで交換が可能である。食器洗浄機１の据え付け後においても上記フィルタの交換を容易にするため、ジョイント３７をベース板２９の下面に設置する際には、蓋３７ｃが正面側に位置するような向きに取り付けられる。
【００２５】
また、接続パイプ２１の他端はウオータバルブ２２ａに連結されており（図１参照）、ウオータバルブ２２ａは、貯湯タンク２２の上蓋にブラケットを介して固定されている。従って、ジョイント３７の入口側端部に、給湯器からの給水管３９が接続されると、給湯器からの水は、給水管３９、ジョイント３７、接続パイプ２１、及びウオータバルブ２２ａを通じて貯湯タンク２２に供給される。
【００２６】
このような第１部品設置予定領域４１の構成により、接続パイプ２１は、ボルトの着脱によってベース板２９から着脱可能である。更に、ウオータバルブ２２ａのブラケットを貯湯タンク２２上面から外すことで、接続パイプ２１とウオータバルブ２２ａを一緒に取り外すこともできる。
【００２７】
上記ブラケット差込口４１ｂには、図５に示すように、洗剤供給装置２３のブラケット２３ａ前方の舌片２３ｂが差し込まれる。そして、ブラケット２３ａの後方がベース板２９のネジ穴４１ｃにネジ止めされることで、洗剤供給装置２３がベース板２９に固定される。この構成により、洗剤供給装置２３は、ネジの着脱によりベース板２９から容易に着脱可能である。
【００２８】
図３に示すように、上述の第２部品設置予定領域４２にも、パイプ挿入口４１ａと同一構成のパイプ挿入口４２ａと、ブラケット差込口４１ｂ及びネジ穴４１ｃと同一構成のブラケット差込口４２ｂ及びネジ穴４２ｃと、が設けられている。また、第３部品設置予定領域４３にも、パイプ挿入口４１ａと同一構成のパイプ挿入口４３ａと、ブラケット差込口４１ｂ及びネジ穴４１ｃと同一構成のブラケット差込口４３ｂ及びネジ穴４３ｃと、が設けられている。なお、ベース板２９には、貯湯タンク２２のオーバフロー水を排出するための排出開口４５、メンテナンス時などに貯湯タンク２２内の水を排出するときに用いるドレン開口４７、洗剤入口としての開口４９なども設けられている。
【００２９】
以上のような構成に基づき、標準ドア設定の食器洗浄機１を組み立てる際には、図１に示したように、操作部２６は支柱６に取り付け、正面パネル３１は、支柱５，６に取り付ける。更に、接続パイプ２１及び洗剤供給装置２３の設置領域として、正面パネル３１に近い第３部品設置予定領域４３を選択する。すなわち、ジョイント３７をパイプ挿入口４３ａに取り付け、接続パイプ２１の下端はパイプ挿入口４３ａの位置でジョイント３７に連結する。そして、洗剤供給装置２３のブラケット２３ａの舌片２３ｂを、ブラケット差込口４３ｂに差し込んで、洗剤供給装置２３をベース板２９上に固定する。なお、この場合、パイプ挿入口４１ａ，４２ａ、ブラケット差込口４１ｂ，４２ｂは使用しないので、キャップで塞いでおいてもよい。
【００３０】
また、図６に示すように、右ドア設定の食器洗浄機１Ａを組み立てる際には、操作部２６を支柱５に取り付け、正面パネル３１を支柱４，５間に取り付けて、支柱５，６間には側面パネル３２を取り付ける。更に、接続パイプ２１及び洗剤供給装置２３の設置領域として、正面パネル３１直近に位置することになる第１部品設置予定領域４１を選択する。すなわち、接続パイプ２１をパイプ挿入口４１ａ（図３参照）に取り付け、洗剤供給装置２３をブラケット差込口４１ｂ（図３参照）の位置に取り付ける。
【００３１】
同様に、図７に示すように、左ドア設定の食器洗浄機１Ｂを組み立てる際には、操作部２６を支柱３に取り付け、正面パネル３１を支柱３，６間に取り付けて、支柱５，６間には側面パネル３３を取り付ける。更に、接続パイプ２１及び洗剤供給装置２３の設置領域として、正面パネル３１直近に位置することになる第２部品設置予定領域４２を選択する。すなわち、接続パイプ２１をパイプ挿入口４２ａ（図３参照）に取り付け、洗剤供給装置２３をブラケット差込口４２ｂ（図３参照）の位置に取り付ける。
【００３２】
以上のように、３つの部品設置予定領域４１〜４３を適宜選択することで、同じ部品を用いて、ドア設定が異なる３種類の食器洗浄機１，１Ａ，１Ｂを組み立てることができる。また、この場合、標準ドア設定の食器洗浄機１、右ドア設定の食器洗浄機１Ａ、又は左ドア設定食器洗浄機１Ｂの何れの場合にも、正面パネル３１から近い位置に接続パイプ２１及び洗剤供給装置２３が存在するので、正面パネル３１側から手が届きやすく、メンテナンスや洗剤補充の作業が容易である。
【００３３】
また、食器洗浄機１のドア設定を変更して，食器洗浄機１Ａ，１Ｂを組み立て直す場合にも、ドア７、洗浄タンク１７、洗浄ポンプ１９、貯湯タンク２２、濯ぎポンプ２４、コントロールボックス２５などの主要部品は移動させる必要がなく、操作部２６、接続パイプ２１、ジョイント３７、洗剤供給装置２３、パネル３１〜３３といった比較的移動が容易な部品のみを移動させればよい。従って、簡単な作業でドア設定の変更を行うことができる。
【００３４】
なお、食器洗浄機１のドア設定を変更する他の方式としては、操作部２６を移動させずに、機械室Ｄに対するドア７の向きと洗浄室Ｓ内の配管とを変更する方式が考えられる。この方式によれば、正面側から見て、接続パイプ２１及び洗剤供給装置２３の位置をドア設定に関わらず一定にすることができる。しかし、この方式では、変更する洗浄室Ｓ内の配管に適合させるために、洗浄タンク１７を交換する必要が生じる場合もある。また、この場合、洗浄タンク１７と洗浄室Ｓとの繋ぎ目にコーキングを施す作業も必要であり、作業負担が大きい。このような方式に比較して、上述した食器洗浄機１のドア設定変更では、作業負担を小さく抑えられる。
【００３５】
また、貯湯タンク２２内にはセンサ類等の種々の内部部品が内蔵されているので、貯湯タンク２２の上蓋を開いて当該内部部品のメンテナンスを行う場合がある。ここで、貯湯タンク２２の上蓋は、水平にスライドして開ける構成となっているので、ウオータバルブ２２ａのブラケットを上蓋から外せば、接続パイプ２１の下端を外すことなく上蓋をスライドさせ開けることができる。また、前述の通り、貯湯タンク２２を１辺２９ｄの近傍の中央に設置しているので、食器洗浄機１，１Ａ，１Ｂの何れにおいても、正面パネル３１側から貯湯タンク２２に比較的手が届きやすい。従って、貯湯タンク２２のメンテナンスにおいても、ドア設定に関わらず作業性が確保できる。
【００３６】
更に、メンテナンスの際には、貯湯タンク２２等を取り外して機械室Ｄ外へ取り出したい場合もあり得る。このような場合の取り外しを容易にするため、貯湯タンク２２は、図８（ａ）又は図８（ｂ）に示すような構造でベース板２９上に固定されている。この図８（ａ），（ｂ）は、図１における貯湯タンク２２を正面パネル３１側から見た側面図である。図８（ａ）に示すように、貯湯タンク２２の左右両側面の下部には、それぞれＬ型フランジ５１，５３が取り付けられている。貯湯タンク２２の設置においては、貯湯タンク２２をベース板２９上に置いた状態で、左側のＬ型フランジ５１がベース板２９にネジ止めされる。そして、右側のＬ型フランジ５３はネジ止めされず、右側のＬ型フランジ５３上面がクランク部材５５で押さえつけられた状態で、クランク部材５５がベース板２９上にネジ止めされる。
【００３７】
このような構造によれば、左側のＬ型フランジ５１のネジを外し、貯湯タンク２２を水平に左に滑らせることで、クランク部材５５を外すことなく、貯湯タンク２２をベース板２９から取り外すことができる。従って、図６に示す右ドア設定の食器洗浄機１Ａにおいて、この構造を採用すれば、正面パネル３１側から、手前側のネジを外すことで、貯湯タンク２２をベース板２９から容易に取り外すことができる。このような固定構造は、濯ぎポンプ２４及びコントロールボックス２５にも採用され、ベース板２９からの容易な取り外しを可能にしている。
【００３８】
この右ドア設定の食器洗浄機１Ａにおいて、貯湯タンク２２のメンテナンスの際には、上記洗剤供給装置２３を取り外した上で、貯湯タンク２２を、支柱４とパイプ挿入口４１ａとの間を通して、正面パネル３１側から機械室Ｄの外に容易に取り出すことができる。すなわち、支柱４とパイプ挿入口４１ａとの間隔は、貯湯タンク２２の前後幅よりも広く設計されており、接続パイプ２１をパイプ挿入口４１ａから外さなくとも、機械室Ｄから貯湯タンク２２を取り出すことができるようになっている。同様に、濯ぎポンプ２４を取り出す場合にも、支柱４とパイプ挿入口４１ａとの間を通すことができる。また、支柱５とパイプ挿入口４１ａとの間隔は、コントロールボックス２５の前後幅よりも広く設計されており、接続パイプ２１をパイプ挿入口４１ａから外さなくとも、接続パイプ２１と支柱５との間を通して、コントロールボックス２５を機械室Ｄから取り出すことができるようになっている。
【００３９】
一方、図７に示す左ドア設定の食器洗浄機１Ｂにおいては、左右を逆にして、図８（ｂ）に示す構造により貯湯タンク２２、濯ぎポンプ２４、及びコントロールボックス２５を固定すればよい。この場合において、貯湯タンク２２、濯ぎポンプ２４、及びコントロールボックス２５を機械室Ｄから取り出す方法は、上述した右ドア設定の食器洗浄機１Ａの場合の方法と左右対称であるので、説明を省略する。
【００４０】
以上のように、食器洗浄機１Ａ，１Ｂを組み立てる際には、貯湯タンク２２、濯ぎポンプ２４、及びコントロールボックス２５の固定構造を、選択的に採用することができ、何れのドア設定の場合にも、貯湯タンク２２等のメンテナンスを容易にすることができる。
【００４１】
なお、図１に示す標準ドア設定の食器洗浄機１の場合には、図８（ａ），（ｂ）の何れの構造を採用してもよい。この標準ドア設定の食器洗浄機１の場合、正面パネル３１側から、まず、コントロールボックス２５を取り出せば、支柱６とパイプ挿入口４３ａとの間のスペースを用いて、貯湯タンク２２及び濯ぎポンプ２４を正面パネル３１側から取り出すことができる。
【００４２】
また、この食器洗浄機１，１Ａ，１Ｂでは、濯ぎポンプ２４はベース板２９の略中央に設置されており、コントロールボックス２５は、辺２９ａに沿って設置されている。従って、食器洗浄機のドア設定に関わらず、濯ぎポンプ２４及びコントロールボックス２５は、正面パネル３１側から比較的手が届きやすい。従って、食器洗浄機１，１Ａ，１Ｂの何れにおいても、濯ぎポンプ２４及びコントロールボックス２５をメンテナンスする場合の作業性が確保できる。また、洗浄タンク１７や貯湯タンク２２に設けられたヒータやサーモ等は、何れのドア設定の場合も正面パネル３１側から目視可能で比較的手が届きやすい位置に配置されている。このような配置により、食器洗浄機１，１Ａ，１Ｂの何れにおいても、洗浄タンク１７や貯湯タンク２２のメンテナンス作業性が確保できる。
【図面の簡単な説明】
【００４３】
【図１】本発明に係る食器洗浄機の実施形態を示す一部破断斜視図である。
【図２】（ａ）は、右ドア設定の食器洗浄機の斜視図であり、（ｂ）は、左ドア設定の食器洗浄機の斜視図である。
【図３】図１の食器洗浄機のベース板の平面図である。
【図４】パイプ挿入口に取り付けられるジョイント及び接続パイプを示す側面図である。
【図５】洗剤投入装置のブラケットを示す斜視図である。
【図６】右ドア設定の食器洗浄機のメンテナンス時における状態を示す斜視図である。
【図７】左ドア設定の食器洗浄機のメンテナンス時における状態を示す斜視図である。
【図８】（ａ），（ｂ）は、貯湯タンクの固定構造を示す側面図である。
【符号の説明】
【００４４】
１，１Ａ，１Ｂ…食器洗浄機、１３，１５…濯ぎノズル（噴射ノズル）、２１…接続パイプ（給水パイプ）、２２…貯湯タンク、２３…洗剤供給装置、２３ａ…ブラケット、２３ｂ…洗剤貯留タンク、２９…ベース板、２９ａ，２９ｂ，２９ｃ，２９ｄ…ベース板の１辺、４１…第１部品設置予定領域、４２…第２部品設置予定領域、４３…第３部品設置予定領域、４１ａ，４２ａ，４３ａ…パイプ挿入口、４１ｂ，４２ｂ，４３ｂ…ブラケット差込口、Ｄ…機械室、Ｓ…洗浄室。
【図１】
2008237534.tif 000003
【図２】
2008237534.tif 000004
【図３】
2008237534.tif 000005
【図４】
2008237534.tif 000006
【図５】
2008237534.tif 000007
【図６】
2008237534.tif 000008
【図７】
2008237534.tif 000009
【図８】
2008237534.tif 000010